(57)【特許請求の範囲】
【請求項１】
風が吸い込み口、風路部を経由してブロアブロックに引き込まれ、吹き出し口から手挿入部に風を吹き出して手を乾燥させる手乾燥装置であって、本体ハウジング内に配置されたブロアブロックのブロアケースが背方に開口する本体ハウジングの背面開口部に配設した背面板に固定具によって固定され、前記ブロアケースと背面板との固定が、固定具と背面板とが接触しないように弾性保持部を介してなされ、ブロアケースの前面側が本体ハウジングの前面部の内面に設けたリブにより保持されていることを特徴とする手乾燥装置。
【請求項２】
固定具が雄ねじ具により構成され、雄ねじ具の先端部がブロアケースの内部まで到っていることを特徴とする請求項１記載の手乾燥装置。
【請求項３】
ブロアケースに雌ねじ部を有するねじボスを形成し、雌ねじ部がブロアケースの内方まで到っていることを特徴とする請求項２記載の手乾燥装置。
【発明の詳細な説明】
【０００１】
【発明の属する技術分野】
本発明は、風が吸い込み口、風路部を経由してブロアブロックに引き込まれ、吹き出し口から手挿入部に風を吹き出して手等を乾燥させる手乾燥装置に関するものである。
【０００２】
【従来の技術】
従来から、風が吸い込み口、風路部を経由してブロアブロックに引き込まれ、吹き出し口から手挿入部に風を吹き出して手等を乾燥させる手乾燥装置が知られている。そして、従来例の手乾燥装置において、ブロアブロックを取り付けるにあっては、ブロアブロックから雌ねじ部を有するねじボスを突設し、背面板にねじ具により直接ブロアブロックを取り付けるようにしている。
【０００３】
ところが、背面板にねじ具により直接固定したものにおいては、ブロアブロックに設けたモータの振動がねじ具を介して背面板に直接伝わり、振動・騒音の原因となっていた。また、ブロアブロックが重たいため、自重とモータの回転の繰り返し負荷による応力がかかるため、強度的に改善をする必要に迫られている。
【０００４】
【発明が解決しようとする課題】
本発明は上記の点に鑑みてなされたものであり、モータの振動が背面板に伝わるのを防止して振動・騒音を抑制でき、また、取り付け強度を向上させることができる手乾燥装置を提供することを課題とするものである。
【０００５】
【課題を解決するための手段】
上記課題を解決するために本発明に係る手乾燥装置は、風が吸い込み口１、風路部２を経由してブロアブロック６に引き込まれ、吹き出し口７から手挿入部３に風を吹き出して手を乾燥させる手乾燥装置であって、本体ハウジング８内に配置されたブロアブロック６のブロアケース５が背方に開口する本体ハウジング８の背面開口部に配設した背面板９に固定具１０によって固定され、前記ブロアケース５と背面板９との固定が、固定具１０と背面板９とが接触しないように弾性保持部１１を介してなされ、ブロアケース５の前面側が本体ハウジング８の前面部の内面に設けたリブ１２により保持されていることを特徴とするものである。このような構成とすることで、モータ４が回転した際に生じる振動が弾性保持部１１により吸収されて固定具１０から直接背面板９に振動が伝わらないようにできるものである。また、ブロアケース５の前面側を本体ハウジング８の前面部の内面に設けたリブ１２により保持されているので、背面側で固定具１０で固定するだけでなく、前面側においてリブ１２により支持できて固定具１０による固定部分に急激な応力がかからないようにできるものである。
【０００７】
また、固定具１０が雄ねじ具により構成され、雄ねじ具の先端部がブロアケース５の内部まで到っていることが好ましい。このような構成とすることで、剛体の雄ねじ具の長さを長くして固定部における剛性を向上させることができるものである。
【０００８】
また、ブロアケース５に雌ねじ部１３ａを有するねじボス１３を形成し、雌ねじ部１３ａがブロアケース５の内方まで到っていることが好ましい。このような構成とすることで、剛体の雄ねじ具の先端部が雌ねじ部１３ａのブロアケース５の内方まで到った部分にも螺合されることになって、ねじボス１３の根元への応力集中を緩和させることができるものである。
【０００９】
【発明の実施の形態】
以下、本発明を添付図面に示す実施形態に基づいて説明する。
【００１０】
手乾燥装置は背方に開口した本体ハウジング８と、本体ハウジング８の背面開口部に配置されて本体ハウジング８にねじ具１４により取り付けられる背面板９、本体ハウジング８の下部に取り付ける水受けケース１５とで外殻が構成してある。本体ハウジング８は上ハウジング体８ａと下ハウジング体８ｂとを組み合わせて構成してあり、下ハウジング体８ｂには下方に向けて凹んだ凹所１６が形成してあり、凹所１６の前部と後部とには左右方向に細長い開口部１７が設けてある。
【００１１】
下ハウジング体８ｂには図６に示すような断面Ｌ字状をした支持部１８が前後方向に設けてあり、水受けケース１５の係止部１９を支持部１８に前後方向にスライド自在に係止することで水受けケース１５を下ハウジング体８ｂに対して前方に抜き取り自在に取り付けてある。背面板９の下端部には着脱釦固定部材３４が設けてあり、着脱釦固定部材３４にはばね３５により下方に突出する方向にばね付勢された着脱釦３６が上下方向に移動自在に取り付けてある。着脱釦３６にはフック３７が設けてあり、支持部１８に係止部１９をスライド係止して水受けケース１５を下ハウジング体８ｂの下面側に取り付けた状態で、フック３７が水受けケース１５に設けた係止片部３８に係止しており、いたずらなどで水受けケース１５が引き出せないようになっている。つまり、着脱釦３６をばね３５に抗して押して、フック３７を係止片部３８から外した状態ではじめて水受けケース１５を前方に引き出して外すことができるようになっている。
【００１２】
水受けケース１５には図５に示すように、水受け部２０と吸い込み口１とが設けてあり、水受けケース１５の上部にはフィルタ枠２１が取り付けられ、フィルタ枠２１に通気孔が設けてあってこの通気孔に図４に示すように、フィルタ２２が装着してある。また、フィルタ枠２１には前部と後部とに左右方向に細長い凹溝２３が凹設してあり、水受けケース１５を下ハウジング体８ｂの下面側に取り付けた状態で、下ハウジング体８ｂの下部の前部と後部にそれぞれ設けた左右方向に細長い開口部１７とフィルタ枠２１の前部と後部とに設けた左右方向に細長い凹溝２３とが対向して連通するようになっている。図６に示すように、凹溝２３の長手方向の少なくとも一端部（つまり左端部又は右端部のいずれか一方又は両方）は側方に開口していて排水口２４となっている。
【００１３】
図１に示すように、本体ハウジング８の両側部の前面側には突状部２５が設けてあり、突状部２５内が空洞路となっていて風路部２を構成してある。この風路部２の下端開口部は前述のように水受けケース１５を取り付けた場合、フィルタ２２と連通するようになっている。風路部２の上部は上ハウジング体８ａ内に開口している。
【００１４】
上ハウジング体８ａ内にはブロアブロック６が内装してある。ブロアブロック６は独立発泡ゴム等で形成した防振、防音効果を有するブロアモータ保持材５０を介してブロアケース５にファンを備えたブロアモータ４、ヒータ２６、吹き出し口７、吸音材８０を取り付けて構成したものである。
【００１５】
上記のブロアケース５の後面部にはねじボス１３が後方に向けて一体に突設してあり、このねじボス１３は前端部がブロアケース５の内方(前方側)に向けて突出してある。そして、ねじボス１３には雌ねじ部１３ａが刻設してあり、雌ねじ部１３ａはブロアケース５の内方まで到っている（つまり、雌ねじ部１３ａの奥端部はブロアケース５よりも前方側に位置している）。ブロアケース５は背面板９に固定具１０を用いて取り付けられるが、この場合、ブロアケース５を背面板９に固定具１０により固定するに当って、固定具１０と背面板９とが接触しないようにゴムや弾性を有する合成樹脂等の弾性を有する材料により構成した弾性保持部１１を介して固定されるものである。
【００１６】
すなわち、図７に示すように、背面板９には大径孔３０ａと小径孔３０ｂとが連通しただるま孔３０が設けてある。一方、弾性保持部１１は大径部１１ａと小径部１１ｂとが一体に連続しただるま形状をしており、小径部１１ｂの前面部に小径孔３０ｂに嵌め込むことができる大きさの細首部１１ｃを介して係止突部１１ｄが突設してあり、係止突部１１ｄ、細首部１１ｃ、大径部１１ａを貫通して前後方向に固定具挿入孔１１ｅが設けてあり、大径部１１ａの前面部に嵌合突部１１ｆが突設してある。ここで、大径部１１ａは大径孔３０ａより大きく、小径部１１ｂは小径孔３０ｂよりも大きく、また、係止突部１１ｄは大径孔３０ａより小さく且つ小径孔３０ｂよりも大きく、更に、嵌合突部１１ｆは大径孔３０ａに嵌り込む大きさとなっている。
【００１７】
そして、係止突部１１ｄを大径孔３０ａに挿入して前方に飛び出させた状態で、弾性保持部１１をスライドさせて細首部１１ｃを小径孔３０ｂに嵌め込んで係止突部１１ｄを背面板９の前面側に係止し、また、嵌合突部１１ｆを大径孔３０ａに嵌合し、これにより弾性保持部１１のスライドを阻止して弾性保持部１１の大径部１１ａの外周部、小径部１１ｂの外周部がそれぞれ背面板９の背面に当接すると共に係止突部１１ｄが背面板９の前面側に係止した状態を保持するようになっている。
【００１８】
しかして、ブロアケース５の背面部に背方に向けて突設したねじボス１３の先端面と背面板９に装着した弾性保持部１１の係止突部１１ｄの前面とを当接した状態で、固定具挿入孔１１ｅに固定具１０を構成する雄ねじ具をワッシャ３２を介して挿入し、該固定具１０を構成する雄ねじ具をねじボス１３の雌ねじ部１３ａに螺合するものである。この場合、固定具１０を構成する雄ねじ具の先端部がブロアケース５の内部まで到っているので、剛体の雄ねじ具の長さを長くして固定部における剛性を向上させることができるものである。また、雌ねじ部１３ａがブロアケース５の内方まで到っているので、剛体の雄ねじ具の先端部が雌ねじ部１３ａのブロアケース５の内方まで到った部分にも螺合されることになって、ねじボス１３の根元への応力集中を緩和させることができるものである。雌ねじ部１３ａは雄ねじ部の挿入側の端部のみが開口したものであってもよく、また、雄ねじ部の挿入側の端部だけでなく、挿入側の端部と反対側の端部も開口したものであってもよい。また、ワッシャ３２を設けることで、雄ねじ具を締付けた際に雄ねじ部が弾性保持部材１１に食い込むのを低減できるものである。
【００１９】
上記のように、ブロアケース５と背面板９との固定が、固定具１０と背面板９とが接触しないように弾性保持部１１を介してなされていることで、モータ４が回転した際に生じる振動が弾性保持部１１により吸収されて固定具１０から直接背面板９に振動が伝わらないようにできるものである。
【００２０】
本体ハウジング８の前面部の内面には環状をしたリブ１２を設けてあり、このリブ１２にブロアケース５の前面部を嵌め込んでブロアケース５の前面部を本体ハウジング８の前面部に位置決め保持してある。このようにブロアケース５の前面部を本体ハウジング８に位置決め保持することで、前述のようにブロアケース５を背面側で固定具１０で固定するだけでなく、前面側においてリブ１２により支持できて固定具１０による固定部分に急激な応力がかからないようにできるものである。
【００２１】
吹き出し口７は本体ハウジング８の中央部に形成された前方が開口する手挿入部３の上面部に開口しており、吹き出し口７は前後方向に長いスリット孔を左右方向に複数（例えば５列）配列することで構成してある。
【００２２】
本体ハウジング８の手挿入部３の内壁部の上部には人体検知センサー３８が設けてある。また、本体ハウジング８には図１に示すように電源スイッチ３９、ヒータ入り切りスイッチ４０、風量の強弱を選択するための風量切換えスイッチ４１が設けてある。
【００２３】
しかして、手挿入部３に手を差し込むと、人体検知センサー３８が手を検知し、ブロアモータ４、ヒータ２６に通電し、吸い込み口１から風を吸い込み、風路部２を経由してブロアブロック６に引き込み、ヒータ２６に加温し、加温された空気を、吹き出し口７から吹き出し、これにより手挿入部３に差し入れた手を乾燥させるものである。この場合、手に付着した水に温風が吹き当ることで蒸発し、また水の一部が本体ハウジング８の下部、つまり、下ハウジング体８ｂの底部に吹き飛ばされ、下ハウジング体８ｂの開口部１７から凹溝２３に流れ、上方から吹き付ける風によって凹溝２３の端部側に吹き流されて凹溝２３の長手方向の端部の排水口２４から水受けケース１５内に流れて溜められるものである。水受けケース１５にたまった水は水受けケース１５を手前に引き出して取り出すことで、捨てることができるものである。ところで、水受けケース１５を取り外している状態の時に手挿入部３に濡れた手を差し入れて上記のように乾燥させた場合に、開口部１７に水が流れても開口部１７の下方には何も部材がないので、開口部１７に流れた水はそのまま下方に流下するのみで使用者の居る方向である前方に飛散せず、使用者に水がかからないようにできるものである。
【００２４】
なお、吸い込み口１を水受けケース１５の内部に設けるのではなく、図２においてイで示す水受けケース１５の中央部の下部に設けた凹段部１５ａに設けた場合には図２のロで示す位置に空気をろ過するためのフィルタ２２ａを設けるようにしてもよいものである。
【００２５】
【発明の効果】
上記の請求項１記載の本発明にあっては、ブロアケースと背面板との固定が、固定具と背面板とが接触しないように弾性保持部を介してなされているので、ブロアモータの振動が背面板に直に伝わって振動・騒音の原因になるのを防止できるものである。
【００２６】
また、ブロアケースの前面側を本体ハウジングの前面部の内面に設けたリブにより保持されているので、背面側で固定具で固定するだけでなく、前面側においてリブにより支持できて固定具による固定部分に急激な応力がかからないようにできるものである。
【００２７】
また、請求項２記載の発明にあっては、上記請求項１記載の発明の効果に加えて、固定具が雄ねじ具により構成され、雄ねじ具の先端部がブロアケースの内部まで到っているので、剛体の雄ねじ具の長さを長くして固定部における剛性を向上させることができ、このように剛体の雄ねじ具が固定部分の剛性を上げているので、更に振動を抑えることができるものである。
【００２８】
また、請求項３記載の発明にあっては、上記請求項２記載の発明の効果に加えて、ブロアケースに雌ねじ部を有するねじボスを形成し、雌ねじ部がブロアケースの内方まで到っているので、剛体の雄ねじ具の先端部が雌ねじ部のブロアケースの内方まで到った部分にも螺合されることになって、ねじボスの根元への応力集中を緩和させることができるものであり、ブロアケースの取り付け強度を向上することができるものである。
【図面の簡単な説明】
【図１】本発明の斜視図である。
【図２】同上の断面図である。
【図３】同上の断面図を示し左半分は図２のＡ−Ａ線で破断して下を見た図で且つ右半分は図２のＡ−Ａ線で破断して上を見た図である。
【図４】同上に用いる水受けケースの平面図であって右半部はその上にフィルタ枠を重ねた状態を示している。
【図５】同上に用いる水受けケースの側断面図である。
【図６】同上の下ハウジング体に水受けケースを取り付けている部分の断面図である。
【図７】同上の弾性保持部を背面板に取り付ける部分の分解斜視図である。
【図８】同上のブロアケースの背面図である。
【符号の説明】
１  吸い込み口
２  風路部
３  手挿入部
５  ブロアケース
６  ブロアブロック
７  吹き出し口
８  本体ハウジング
９  背面板
１０  固定具
１１  弾性保持部
１２  リブ
１３  ねじボス
【図１】
0003731349.tif 000002
【図２】
0003731349.tif 000003
【図３】
0003731349.tif 000004
【図４】
0003731349.tif 000005
【図５】
0003731349.tif 000006
【図６】
0003731349.tif 000007
【図７】
0003731349.tif 000008
【図８】
0003731349.tif 000009